(57)【要約】      （修正有）【課題】開店祝い、改装祝、葬祭などの際に店頭や店内、式場などに祝儀袋や商品券等とセットにして届けて飾るパネルスタンドを提供する。【解決手段】パネルスタンドは、地面に静置される矩形板状のベース１と、該ベース１を２分する中央両端に立設された第１スチールパイプ２と、該第１スチールパイプ２に嵌合するピン差込穴１２を下部に形成した矩形状のアクリル板３と、該アクリル板３の上半部に重ね合わされた矩形状のプラスチック竹パネル４とを備える。さらに、該プラスチック竹パネル４に斜め４５度の姿勢を保持するように取り付けた複数個の傾斜姿勢容器５と、前記アクリル板３の上端に立設された第２スチールパイプ６と、該第２スチールパイプ６に嵌合するピン差込穴１３を下部に形成した矩形状のアルミ複合板張り７と、該アルミ複合板張り７の中央正面に突き出すように固定された矩形状の札入れ８とからなる。【選択図】図２
0003172437.tif 000002
【実用新案登録請求の範囲】
【請求項１】
地面に静置される矩形板状のベースと、該ベースを２分する中央両端に立設された第１スチールパイプと、該第１スチールパイプに嵌合するピン差込穴を下部に形成した矩形状のアクリル板と、該アクリル板の上半部に重ね合わされた矩形状のプラスチック竹パネルと、該プラスチック竹パネルに斜め４５度の姿勢を保持するように取り付けた複数個の傾斜姿勢容器と、前記アクリル板の上端に立設された第２スチールパイプと、該第２スチールパイプに嵌合するピン差込穴を下部に形成した矩形状のアルミ複合板張りと、該アルミ複合板張りの中央正面に突き出すように固定された矩形状の札入れとからなることを特徴とするパネルスタンド。
【考案の詳細な説明】
【技術分野】
【０００１】
本考案は、開店祝い、改装祝、葬祭などの際に店頭や店内、式場などに配置されるパネルスタンドに関する。
【背景技術】
【０００２】
従来、開店祝い、改装祝、葬祭などの際に店頭や店内、式場などに配置され、夜間でも広告・宣伝効果を発揮できる装飾用造花スタンドが知られている（特許文献１を参照）。
この公知技術は、複数の支持用ポールと、これらポールの上端部側に取り付けられた背面板と、背面板の前面に所定の距離を隔てて配された透明板と、この透明板と背面板との間の空所に収容された複数の造花とを有し、造花は表面発光表示用薄板を花弁や苞葉の形に切り落として形造られたものであり、これらの造花に所定の発光表示電圧を供給するために電源部が設けられ、造花に発光表示電圧を印加することによって造花を発光表示させる装飾用造花スタンドである。
この装飾用造花スタンドは、開店祝い、改装祝、葬祭などの際に店頭や店内、式場などに祝儀袋や商品券等とセットにして届けて飾ることが出来なかった。
【先行技術文献】
【特許文献】
【０００３】
【特許文献１】特開平１１-２００１２８号公報
【考案の概要】
【考案が解決しようとする課題】
【０００４】
本考案は、開店祝い、改装祝、葬祭などの際に店頭や店内、式場などに祝儀袋や商品券等とセットにして届けて飾るパネルスタンドを提供することを目的とする。
【課題を解決するための手段】
【０００５】
本考案のパネルスタンドは、地面に静置される矩形板状のベースと、該ベースを２分する中央両端に立設された第１スチールパイプと、該第１スチールパイプに嵌合するピン差込穴を下部に形成した矩形状のアクリル板と、該アクリル板の上半部に重ね合わされた矩形状のプラスチック竹パネルと、該プラスチック竹パネルに斜め４５度の姿勢を保持するように取り付けた複数個の傾斜姿勢容器と、前記アクリル板の上端に立設された第２スチールパイプと、該第２スチールパイプに嵌合するピン差込穴を下部に形成した矩形状のアルミ複合板張りと、該アルミ複合板張りの中央正面に突き出すように固定された矩形状の札入れとからなるものである。
【考案の効果】
【０００６】
本考案のパネルスタンドは、地面に静置される矩形板状のベースと、該ベースを２分する中央両端に立設された第１スチールパイプと、該第１スチールパイプに嵌合するピン差込穴を下部に形成した矩形状のアクリル板と、該アクリル板の上半部に重ね合わされた矩形状のプラスチック竹パネルと、該プラスチック竹パネルに斜め４５度の姿勢を保持するように取り付けた複数個の傾斜姿勢容器と、前記アクリル板の上端に立設された第２スチールパイプと、該第２スチールパイプに嵌合するピン差込穴を下部に形成した矩形状のアルミ複合板張りと、該アルミ複合板張りの中央正面に突き出すように固定された矩形状の札入れとからなるため、パネルスタンドの傾斜姿勢容器に祝儀袋や商品券をセットにして届けることができるし、パネルスタンドは造花で飾られているので、そのまま手入れすることなく飾っておくことができる。
【図面の簡単な説明】
【０００７】
【図１】本考案のパネルスタンドに造花等の付属品を備えた正面図である。
【図２】本考案のパネルスタンドに造花等の付属品を備えた側面図である。
【図３】本考案のパネルスタンドの分解側面図である。
【考案を実施するための形態】
【０００８】
本考案のパネルスタンドの一実施例を添付図面に基づいて、以下に説明する。
図１の正面図及び図２の側面図に示すように、本考案のパネルスタンドは、地面に静置される矩形板状のベース１と、該ベース１を２分する中央両端に立設された第１スチールパイプ２と、該第１スチールパイプ２に嵌合するピン差込穴１２を下部に形成した矩形状のアクリル板３と、該アクリル板３の上半部に重ね合わされた矩形状のプラスチック竹パネル４と、該プラスチック竹パネル４に斜め４５度の姿勢を保持するように取り付けた複数個の傾斜姿勢容器５と、前記アクリル板３の上端に立設された第２スチールパイプ６と、該第２スチールパイプ６に嵌合するピン差込穴１３を下部に形成した矩形状のアルミ複合板張り７と、該アルミ複合板張り７の中央正面に突き出すように固定された矩形状の札入れ８とからなる。
前記ベース１上には造花又は生花９が載せられると共に、前記アルミ複合板張り７の造花引っ掛けフック１４に造花１０が取り付けられ、前記プラスチック竹パネル４に設けた傾斜姿勢容器５には祝儀袋や商品券１１が入れられるものである。
【０００９】
図２に示すように、前記ベース１は、合板＋シート貼りで矩形厚板状に形成され、ベース１を２分する中央両端に第１スチールパイプ２が２本立設される。
前記アクリル板３は、着色した合成樹脂板材とし、下端部に前記第１スチールパイプ２に嵌合するピン差込穴１２を２個形成したものである。また竹を並べた模様が入った矩形状のプラスチック竹パネル４を上半部に重ね合わせて意匠的効果を生じさせる。
前記傾斜姿勢容器５は、前記プラスチック竹パネル４に斜め４５度の姿勢を保持するように取り付け、前記傾斜姿勢容器５内には祝儀袋や商品券１１が入れられる。
また、前記アルミ複合板張り７は、下端部に第２スチールパイプ６に嵌合するピン差込穴１３を２個形成し、中央正面に、例えば「親戚一同」や「孫一同」などの札を挿入する札入れ８を突き出すように固定したものである。
【００１０】
次に、本考案のパネルスタンドの組立操作を添付図面に基づいて、以下に説明する。
図３の分解側面図に示す付属品が取り付けられていないベース１、アクリル板３、アルミ複合板張り７を第１スチールパイプ２とピン差込穴１２、第２スチールパイプ６とピン差込穴１３を嵌合し組み立てた後、図１に示すように造花引っ掛けフック１４により造花１０が取り付けられ、ベース１上には造花又は生花９が載せられる。
次いで、アルミ複合板張り７の札入れ８に「親戚一同」や「孫一同」などの札を挿入する。
そして、傾斜姿勢容器５の中に祝儀袋や広告・宣伝された寿司店の商品券１１を挿入する。
このようにして完成したパネルスタンドを葬式場に届け、飾ることができる。
【符号の説明】
【００１１】
１  ベース
２  第１スチールパイプ
３  アクリル板
４  プラスチック竹パネル
５  傾斜姿勢容器
６  第２スチールパイプ
７  アルミ複合板張り
【００１２】
８  札入れ
９  造花又は生花
１０  造花
１１  祝儀袋や商品券
１２  ピン差込穴
１３  ピン差込穴
１４  造花引っ掛けフック
【図１】
0003172437.tif 000003
【図２】
0003172437.tif 000004
【図３】
0003172437.tif 000005